(57)【要約】      （修正有）【課題】建築物の外側に足場が架けられない狭小地に施工する場合、建築用パネルの施工後に内側から防水紙を張り付け施工する、防水性と耐結露性を向上する、外壁構造に関する。【解決手段】柱７ｂあるいは間柱７ｃの外側に、胴縁７ｄを施工し、その胴縁７ｄの外側に建築用パネル１を施工し、建築用パネル１との間に胴縁７ｄによる隙間を形成して、建築用パネル１の施工後に、防水紙６を張り付け施工する外壁構造とする。【選択図】図１
2008019698.tif 000002
【特許請求の範囲】
【請求項１】
建築用パネルの施工後に、内側から防水紙を張り付け施工する外壁構造に関して、柱あるいは間柱の外側に、胴縁を施工し、その胴縁の外側に建築用パネルを施工し、建築用パネルとの間に胴縁による隙間を形成して、防水紙を張り付け施工する事を特徴とする外壁構造。
【発明の詳細な説明】
【技術分野】
【０００１】  この発明は、建築用パネルの施工後に、内側から防水紙を張り付け施工する外壁構造に関して、防水性と耐結露性を向上する、外壁構造に関する。
【背景技術】
【０００２】  建築物の外側に足場が架けられない狭小地に施工する場合、建築用パネルの施工後に内側から防水紙を張り付け施工する必要があるが、そのような従来の外壁構造には、建築用パネルの裏面に防水紙を沿わせる、壁下地防水シートの取り付け方法がある。
（例えば、特許文献１参照）。
【特許文献１】  特開平８−３１２０９７号公報
【発明の開示】
【発明が解決しようとする課題】
【０００３】  従来、建築用パネルの裏面に防水紙を沿わせる、壁下地防水シートの取り付け方法では、建築用パネルの隙間からの雨水や、建築用パネルの裏面での結露水等が、建築用パネルの裏面から防水紙に伝わり、室内側に漏水し易い問題があった。
【課題を解決するための手段】
【０００４】  この発明は、柱あるいは間柱の外側に、胴縁を施工し、その胴縁の外側に建築用パネルを施工し、建築用パネルとの間に胴縁による隙間を形成して、建築用パネルの施工後に、防水紙を張り付け施工する外壁構造である。
【発明の効果】
【０００５】  この発明による外壁構造には、次のような効果がある。【０００６】Ａ．柱あるいは間柱の外側に、胴縁を施工し、その胴縁の外側に建築用パネルを施工し、建築用パネルとの間に胴縁による隙間を形成して、建築用パネルの施工後に、防水紙を張り付け施工する外壁構造とする事により、
ａ．建築用パネルの隙間からの雨水や、建築用パネルの裏面での結露水等が、
イ．胴縁による隙間により、建築用パネルの裏面を伝わり下方に流れて、室外に出て、室内側への漏水を防止可能となり、外壁の水密性能が向上し、
ｂ．建築用パネルの裏面に胴縁による隙間が形成されて、
イ．その隙間が断熱層として働き、外壁の断熱性能が向上し、
ｃ．建築用パネルの裏面に胴縁による隙間を、外気に解放することにより、
イ．室内側の湿気を外気に逃がして、耐結露性が向上し、結露防止が可能となる。【０００７】Ｂ．柱、間柱の側面又は、胴縁の室内側の面に、防水紙を張り付ける事により、
ａ．施工に特別な部材が必要になく、
イ．容易に施工可能となり、
ロ．施工者の施工計画が立てやすくなり、
ハ．現場施工の手数が省ける。【０００８】Ｃ．防水紙を柱又は間柱に、胴縁を介して張り付ける事により、
ａ．防水紙と他の防水紙との間の接続が確実となり、
イ．防水紙と他の防水紙との間からの雨水の漏れが防止され、
ロ．防水紙の張り付けが、たるみなく可能となり、施工性が向上する。【０００９】Ｄ．防水紙を建築用パネルの裏側に取り付けた、胴縁に張り付ける事により、
ａ．防水紙と他の防水紙との間の接続が、同一平面で可能となり、
イ．防水紙を伝う雨水が、同一平面で伝わり下方に流れて、室外に出て、室内側への漏水を防止可能となり、外壁の水密性能が向上する。【００１０】Ｅ．防水紙と他の防水紙とを接続するための部材を、建築用パネルの裏側に取り付ける取付具を、建築用パネルと他の建築用パネルとの隙間に差し込み取り付ける、取付具とする事により、
ａ．部材を任意の位置に取り付けが、素早く可能となり、位置の調整も自由となり、
イ．施工性が向上する。【００１１】Ｆ．部材を建築用パネルの裏側に取り付ける取付具を、建築用パネルの裏面に固定具により固定する、取付具とする事により、
ａ．部材の取り付けが確実となり、
イ．施工の確実性が向上する。【００１２】Ｇ．防水紙と他の防水紙とを挟み込んで接続する部材により、防水紙の接続する事により、
ａ．固定具によって防水紙が引っ張られたときの応力集中による防水紙の切れや、固定具による防水紙の打ち抜きが防止され、
イ．施工性が向上し、
ロ．接続の確実性が向上する。
【発明を実施するための最良の形態】
【００１３】Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板
ｄ．エンボス加工の上に塗装した金属板
ｅ．次に代表されるバネ用板
イ．バネ用ステンレス板
ロ．バネ用炭素鋼板
ハ．バネ用銅合金板等を使用する。【００１４】Ｂ．この発明に使用される建築用パネルや部材の釘打ち固定には、
ａ．次に代表される、固定具を使用し、
イ．セルフドリリングタッピングビス
ロ．釘
ハ．ホッチキス
ニ．木ネジ
ホ．コースレッド等
ｂ．また、ブラインドリベットは、
イ．ブラインドリベットに代表されるリベット
ロ．セルフドリリングタッピングビス等の短寸ネジ
ハ．ホッチキス等を使用し、
ｃ．防水紙の張り付けには、
イ．ガンタッカー
ロ．両面接着テープ
ハ．接着剤
ニ．釘
ホ．ホッチキス等が使用する。【００１５】Ｃ．この発明に使用される発泡合成樹脂等は、
ａ．建築用パネルの裏打材には、
イ．次に代表される発泡合成樹脂に
○硬質発泡ウレタン樹脂
○硬質発泡ヌレート樹脂
○発泡フェノール樹脂
○発泡スチレン樹脂等
ロ．次に代表される裏面材を積層している。
○はり合わせアルミニウム箔
○スチールペーパー
○ポリエチコートクラフト紙
○アルミ蒸着紙
○合成樹脂シート等
ハ．前記の金属板と裏面材との間に、それらの発泡合成樹脂を充填し、主に発泡合成樹脂の自己接着性を利用して、積層している。
ニ．また、裏面材を欠いた発泡合成樹脂のみの、裏打材とする事も可能である。
ｂ．この発明の合成樹脂には、
イ．ポリ塩化ビニル板
ロ．ポリカーボネイト板
ハ．アクリル板等の合成樹脂板が使用され、
ｃ．この発明の防水紙には、
イ．次に代表される透湿防水紙
○ポリエチレン多孔質フィルム
○ポリエチレン不織布等
ロ．ゴムアスファルトルーフィング
ハ．アスファルトルーフィング
ニ．アスファルトフェルト
ホ．シート防水材等が使用される。【００１６】  発明の実施例について、次の、実施例１、実施例２、実施例３、実施例４、及び実施例５により、図面を参照して説明する。
【実施例１】
【００１７】  図１，図２，図３，図４，図５，図６，及び図７は、この発明の実施例１を示すものである。【００１８】Ａ．図５に示す、実施例１においての建築用パネル１は、
ａ．金属板８による長尺の表面材１ａを成形して、ほぼ平坦な前坦面１ｂを形成し、
ｂ．その前坦面１ｂの一側端に、次のような差込下面１ｄと、差込溝１ｅと、差込片１ｆとを形成し、
イ．前坦面１ｂの一側端を鋭角的に裏面側に折り曲げて、差込下面１ｄを形成し、
ロ．その差込下面１ｄを、さらに鋭角に裏面側に折り曲げて、くの字形に表面側に折り曲げ、さらに、Ｕ字形表面側に折り曲げて、差込溝１ｅを形成し、
ハ．その差込溝１ｅの先端を裏面側に折り返して、差込片１ｆを形成し、
ｃ．そして、前坦面１ｂの他側端に、次のような、中溝１ｃを形成し、
イ．表面材１ａを、鈍角のクランク状に裏面側に折り曲げて、さらに、鋭角のクランク状に表面側に折り曲げて、中溝１ｃ形成して、
ｄ．その中溝１ｃの立ち上がりを、ほぼ平坦に延長して、他の前坦面１ｂを形成し、
ｅ．後者の前坦面１ｂの他側端に、次のような、嵌合上面１ｇと、嵌合片１ｈと、嵌合溝１ｉと、釘打片１ｊとを形成し、
イ．前記の中溝１ｃの鋭角のクランク状の折り曲げと同様に、前坦面１ｂを鈍角のクランク状に裏面側に折り曲げて、嵌合上面１ｇを形成し、
ロ．その嵌合上面１ｇを裏面側に折り返して、嵌合片１ｈを形成し、
ハ．その嵌合片１ｈを表面側にＵ字形に折り曲げて、嵌合溝１ｉを形成し、
ニ．その嵌合溝１ｉを延長して、先端を表面側に折り返した、釘打片１ｊを形成し、
ｆ．また、成形した表面材１ａの裏面側に、裏面材１ｌにより覆った、合成樹脂９の発泡体である発泡樹脂板９ａによる次のような裏打材１ｋを形成し、
イ．その裏面材１ｌは、差込溝１ｅと前坦面１ｂとの隙間から、釘打片１ｊに亘る間を覆い、
ロ．その裏面材１ｌは、前坦面１ｂにほぼ平行で、差込片１ｆの近傍で、わずかに厚さを減じて、接続段１ｍを形成し、
ｇ．それらの表面材１ａと裏打材１ｋとを切断して、長手方向の両端に切断端１ｎを形成している。【００１９】Ｂ．図６に示す、実施例１の出隅部材２は、それぞれ、長尺の金属板８を成形した、次のような、出隅被覆２ａと出隅受２ｅとを組み合わせて使用し、
ａ．出隅被覆２ａは、
イ．金属板８を表面側に折り合わせて、連結片２ｃを形成し、
ロ．その連結片２ｃの両側に、次の構成の連結切起２ｄを複数形成し、
○その連結切起２ｄは、連結片２ｃの金属板８を、半裁の船形に形成し、
○その船形は、船底を連結片２ｃの折り合わせ側に向けて、船縁側が切断され、金属板８の数倍の段差を形成し、
○その連結片２ｃの両側に交互に突起し、
ハ．その連結片２ｃを相対して、裏面側にＬ字形に折り曲げて、さらに、くの字形に裏面側に折り曲げて、また、くの字形に裏面側に折り曲げて、その先端を裏面側に折り返した、出隅面２ｂを形成し、
ｂ．出隅受２ｅは、
イ．金属板８を成形して、表面側に開口するコの字形の両端を、表面側にＬ字形に折り曲げて、連結溝２ｈを形成し、
ロ．さらに両側を、鋭角的に裏面側に折り曲げて、連結口２ｉを形成し、
ハ．その連結口２ｉを鋭角的に裏面側に折り曲げて、出隅溝板２ｇを形成し、
ニ．その出隅溝板２ｇの両側をくの字形に表面側に折り曲げて、途中に断面半円状の突条を持ち先端を表面側に折り返した釘打板２ｊを形成し、
ｃ．出隅部材２の使用状態のとき、
イ．出隅受２ｅの連結溝２ｈに、出隅被覆２ａの連結片２ｃを差し込み、
ロ．出隅被覆２ａの連結片２ｃが、出隅受２ｅの連結口２ｉに挟まれる摩擦力と、
ハ．出隅被覆２ａの連結切起２ｄが、出隅受２ｅの連結口２ｉに引っ掛かる抵抗力とにより装着され、
ニ．出隅被覆２ａの出隅面２ｂと、出隅受２ｅの出隅溝板２ｇと釘打板２ｊとにより、出隅溝２ｆを構成する。【００２０】Ｃ．図７に示す、実施例１の目地部材３は、長尺の金属板８を成形して、
ａ．ほぼ平坦な、目地面３ａの両側端を裏面側に折り返して、
ｂ．更に両側を、Ｌ字形に表面側に折り曲げて、目地溝板３ｃを形成し、
ｃ．その目地溝板３ｃを、Ｌ字形に表面側に折り曲げて、その先端を裏面側に折り返した、固定板３ｄを形成し、
ｄ．目地部材３の目地面３ａと、目地溝板３ｃと、固定板３ｄとにより、目地溝３ｂを構成する。【００２１】Ｄ．図１，図２，図３，及び図４に示す、実施例１の外壁７の施工は、
ａ．柱７ｂと間柱７ｃとから構成される、壁下地７ａの、その柱７ｂと間柱７ｃのそれぞれの周囲を、包囲する幅以上の防水紙６の柱防水紙６ｂを巻き付けて張り、
ｂ．建築用パネル１と他の建築用パネル１との、外壁７の外側の角においての接続部７ｆである、出隅部７ｇを構成する、柱７ｂの角の２面の、柱防水紙６ｂの上に、
イ．幅の狭い胴縁７ｄを柱７ｂに２枚釘打ち固定し、
ロ．その柱７ｂの面の他側の角に架けて、他の幅広い胴縁７ｄを、それぞれ、柱７ｂに釘打ち固定し、
ハ．前記の柱７ｂに取り付けた幅の狭い胴縁７ｄに、出隅部材２の出隅受２ｅの釘打板２ｊを合わせて、その釘打板２ｊを釘打ち固定し、
ｃ．建築用パネル１と他の建築用パネル１との、外壁７の壁面においての接続部７ｆである、目地部７ｈを構成する、間柱７ｃの外側の面の、柱防水紙６ｂの上に、
イ．幅の広い胴縁７ｄを、その間柱７ｃに釘打ち固定し、
ロ．その幅の広い胴縁７ｄの上に、目地部材３の固定板３ｄを釘打ち固定し、
ｄ．そのようにして、施工された壁下地７ａの上に、次のように複数の建築用パネル１を施工し、
イ．前記の施工された、接続部７ｆと他の接続部７ｆとの間に、例えば、目地部材３と出隅部材２との間に、次のように建築用パネル１を施工し、
ロ．目地部材３の目地溝３ｂに、建築用パネル１の一方の切断端１ｎを差し込み、その近傍の釘打片１ｊを胴縁７ｄに釘打ち固定し、その建築用パネル１の他方の切断端１ｎを、出隅受２ｅの釘打板２ｊに乗せて、その近傍の釘打片１ｊを胴縁７ｄに釘打ち固定し、
ハ．その固定された建築用パネル１の上方において、他の建築用パネル１を、目地部材３の目地溝３ｂに、一方の切断端１ｎを差し込み、他方の切断端１ｎを、出隅受２ｅの釘打板２ｊに乗せて、
ニ．固定された建築用パネル１の嵌合溝１ｉに、後者の建築用パネル１の差込片１ｆを差し込み、その切断端１ｎの近傍の釘打片１ｊを胴縁７ｄに釘打ち固定し、
ホ．上記を繰り返し、複数の建築用パネル１により外壁７を覆い、
ｅ．それらの建築用パネル１を施工した外壁７の内側に、次のように、壁防水紙６ａを張り付けし、
イ．柱７ｂ、間柱７ｃ、又は胴縁７ｄの、外壁７の上方の柱防水紙６ｂの上に、壁防水紙６ａを張り始めて、
ロ．張り始めから横方向に、柱７ｂや間柱７ｃや胴縁７ｄの内側の面に沿って、張り付けて、柱防水紙６ｂと壁防水紙６ａとの間に、雨水の浸入を防止する防水継６ｃを形成し、
ハ．その張り付けた壁防水紙６ａの下部に、重ね代を取って、次の壁防水紙６ａを張り付けて、その重なり部に、上方からの雨水の流れを侵入を防止して下方に流す、防水重６ｄを形成し、
ニ．上記を繰り返して、外壁７の内側を、複数の壁防水紙６ａにより覆い、
ホ．その壁防水紙６ａと施土された建築用パネル１との間に、胴縁７ｄの厚さにより形成される、空気が流れる通気層７ｅを形成し、
ｆ．前記の、出隅部材２の出隅受２ｅの連結溝２ｈに、出隅被覆２ａの連結片２ｃを差し込み固定する。
【実施例２】
【００２２】  図５，図７，図８，図９，図１０，図１１，及び図１２は、この発明の実施例２を示すものである。【００２３】Ａ．図５に示す、実施例２においての建築用パネル１は、実施例１と同じものである。【００２４】Ｂ．図１２に示す、実施例２の出隅部材２は、長尺の金属板８を成形して、
ａ．金属板８を裏面側にＬ字形に折り曲げて、出隅面２ｂを形成し、
ｂ．その出隅面２ｂの両側端を裏面側に折り返して、更に両側を、Ｌ字形に表面側に折り曲げて、出隅溝板２ｇを形成し、
ｃ．その出隅溝板２ｇを、Ｌ字形に表面側に折り曲げて、その先端を裏面側に折り返した、釘打板２ｊを形成し、
ｄ．出隅部材２の出隅面２ｂと、出隅溝板２ｇと、釘打板２ｊとにより、出隅溝２ｆを構成する。【００２５】Ｃ．図７に示す、実施例２の目地部材３は、実施例１と同じものである。【００２６】Ｄ．図８，図９，図１０，及び図１１に示す、実施例２の外壁７の施工は、
ａ．柱７ｂと間柱７ｃとから構成される、壁下地７ａの、
イ．その柱７ｂの出隅部７ｇを構成する２面と、両側面の半分程度、とを覆う防水紙６の柱防水紙６ｂを巻き付けて張り、
ロ．その間柱７ｃの外側を構成する面と、両側面の半分程度、とを覆う防水紙６の柱防水紙６ｂを巻き付けて張り、
ｂ．建築用パネル１と他の建築用パネル１との、外壁７の外側の角においての接続部７ｆである、出隅部７ｇを構成する、柱７ｂの角の２面の、柱防水紙６ｂの上に、
イ．幅の広い胴縁７ｄを柱７ｂに２枚釘打ち固定し、
ロ．前記の柱７ｂに取り付けた幅の広い胴縁７ｄに、出隅部材２の釘打板２ｊを合わせて、その釘打板２ｊを釘打ち固定し、
ｃ．建築用パネル１と他の建築用パネル１との、外壁７の壁面においての接続部７ｆである、目地部７ｈを構成する、間柱７ｃの外側の面の、柱防水紙６ｂの上に、
イ．幅の広い胴縁７ｄを、その間柱７ｃに釘打ち固定し、
ロ．その幅の広い胴縁７ｄの上に、目地部材３の固定板３ｄを釘打ち固定し、
ｄ．そのようにして、施工された壁下地７ａの上に、次のように複数の建築用パネル１を施工し、
イ．前記の施工された、接続部７ｆと他の接続部７ｆとの間に、例えば、目地部材３と出隅部材２との間に、次のように建築用パネル１を施工し、
ロ．建築用パネル１の長さを、
○施工されたそれぞれ相対する、出隅部材２の出隅面２ｂの側端部と、日地部材３の目地面３ａの側端部との距離より長く、
○相対する目地部材３の目地面３ａの側端部と出隅部材２の出隅溝板２ｇとの距離と、相対する出隅部材２の出隅面２ｂの側端部と目地部材３の目地溝板３ｃとの距離との、長い方の距離よりも短い長さとし、
ハ．目地部材３の目地溝３ｂか、出隅部材２の出隅溝２ｆに、建築用パネル１の一方の切断端１ｎを差し込み、
○次に、建築用パネル１を、差し込んだ接続部７ｆと、他方の接続部７ｆとの、中間の位置にずらして、
○その切断端１ｎの近傍の釘打片１ｊを胴縁７ｄに釘打ち固定し、
ニ．その固定された建築用パネル１の上方において、
○目地部材３の目地溝３ｂか、出隅部材２の出隅溝２ｆに、他の建築用パネル１の一方の切断端１ｎを差し込み、
○次に、建築用パネル１を、差し込んだ接続部７ｆと、他方の接続部７ｆとの、中間の位置にずらして、
ホ．固定された建築用パネル１の嵌合溝１ｉに、後者の建築用パネル１の差込片１ｆを差し込み、その切断端１ｎの近傍の釘打片１ｊを胴縁７ｄに釘打ち固定し、
ヘ．上記を繰り返し、複数の建築用パネル１により外壁７を覆い、
ｅ．それらの建築用パネル１を施工した外壁７の内側に、次のように、壁防水紙６ａを張り付けし、
イ．柱７ｂ又は間柱７ｃの柱防水紙６ｂの上に、壁防水紙６ａを側端を合わせて、張り始めて、
ロ．張り始めから縦方向に、柱７ｂや間柱７ｃに沿って、張り付けて、柱防水紙６ｂと壁防水紙６ａとの間に、雨水の浸入を防止する防水継６ｃを形成し、
ハ．その防水継６ｃの上に幅の狭い胴縁７ｄを釘打ち固定し、
ニ．上記を繰り返して、外壁７の内側を、複数の壁防水紙６ａにより覆い、
ホ．その壁防水紙６ａと施工された建築用パネル１との間に、胴縁７ｄの厚さにより形成される、空気が流れる通気層７ｅを形成する。
【実施例３】
【００２７】  図５，図６，図７，図１３，図１４，図１５，図１６，及び図１７は、この発明の実施例３を示すものである。【００２８】Ａ．図５に示す、実施例３においての建築用パネル１は、実施例１と同じものである。【００２９】Ｂ．図６に示す、実施例３の出隅部材２は、実施例１と同じものである。【００３０】Ｃ．図７に示す、実施例３の目地部材３は、実施例１と同じものである。【００３１】Ｄ．図１７に示す、実施例３の取付具４は、金属板８を成形して、
ａ．ほぼ平坦な取付片４ａの１側端をＬ字形に表面側に折り曲げて、固定片４ｅを形成し、
ｂ．その固定片４ｅに複数の小孔をあけて、固定孔４ｆを形成し、
ｃ．前記の取付片４ａの１端をＵ字形に裏面に折り曲げて、引掛片４ｄを形成し、
ｄ．取付具４は対称な勝手違いの、取付具４を組み合わせることも可能である。【００３２】Ｅ．図１３，図１４，図１５，及び図１６に示す、実施例３の外壁７の施工は、
ａ．柱７ｂと間柱７ｃとから構成される、壁下地７ａの、
イ．その柱７ｂの出隅部７ｇを構成する２面と、柱７ｂの残りの両側面の大半程度とを、覆う防水紙６の柱防水紙６ｂを巻き付けて仮止して、仮止紙６ｅを形成し、
ロ．その間柱７ｃの外側を構成する面と、両側面のを全体程度、とを覆う防水紙６の柱防水紙６ｂを巻き付けて仮止して、仮止紙６ｅを形成し、
ｂ．建築用パネル１と他の建築用パネル１との、外壁７の外側の角においての接続部７ｆである、出隅部７ｇを構成する、柱７ｂの角の２面の、柱防水紙６ｂの上に、
イ．幅の狭い胴縁７ｄを柱７ｂに２枚釘打ち固定し、
ロ．前記の柱７ｂに取り付けた幅の狭い胴縁７ｄに、出隅部材２の釘打板２ｊを合わせて、その釘打板２ｊを釘打ち固定し、
ｃ．建築用パネル１と他の建築用パネル１との、外壁７の壁面においての接続部７ｆである、目地部７ｈを構成する、間柱７ｃの外側の面の、柱防水紙６ｂの上に、
イ．幅の広い胴縁７ｄを、その間柱７ｃに釘打ち固定し、
ロ．その幅の広い胴縁７ｄの上に、目地部材３の固定板３ｄを釘打ち固定し、
ｄ．そのようにして、施工された壁下地７ａの上に、次のように複数の建築用パネル１を施工し、
イ．前記の施工された、接続部７ｆと他の接続部７ｆとの間に、例えば、目地部材３と出隅部材２との間に、次のように建築用パネル１を施工し、
ロ．目地部材３の目地溝３ｂに、建築用パネル１の一方の切断端１ｎを差し込み、その近傍の釘打片１ｊを胴縁７ｄに釘打ち固定し、その建築用パネル１の他方の切断端１ｎを、出隅受２ｅの釘打板２ｊに乗せて、その近傍の釘打片１ｊを胴縁７ｄに釘打ち固定し、
ハ．その固定された建築用パネル１の上方において、他の建築用パネル１を、目地部材３の目地溝３ｂに、一方の切断端１ｎを差し込み、他方の切断端１ｎを、出隅受２ｅの釘打板２ｊに乗せて、
ニ．固定された建築用パネル１の嵌合溝１ｉに、後者の建築用パネル１の差込片１ｆを差し込み、その切断端１ｎの近傍の釘打片１ｊを胴縁７ｄに釘打ち固定し、
ホ．上記を繰り返し、複数の建築用パネル１により外壁７を覆い、
ｅ．それらの建築用パネル１を施工した外壁７の内側に、次のように、取付具４により幅の狭い胴縁７ｄを取り付け、
イ．柱７ｂや間柱７ｃの近傍の位置の、建築用パネル１の釘打片１ｊと、その上段の建築用パネル１の切続段１ｍとの隙間に、取付具４の引掛片４ｄを差し込む事を繰り返し、複数の取付具４を装着し、
ロ．その装着した取付具４の固定片４ｅに、幅の狭い胴縁７ｄの側面を沿わして、その固定孔４ｆを釘打ち固定し、
ハ．柱７ｂと間柱７ｃとの間、又は柱７ｂと他の柱７ｂとの間の両側部に、建築用パネル１の釘打片１ｊに引っ掛けた、取付具４を釘打ち固定した、幅の狭い胴縁７ｄを取り付けて、
ｆ．その建築用パネル１の内側に取り付けた、幅の狭い胴縁７ｄに、次のように、柱防水紙６ｂを巻き付けて仮止した仮止紙６ｅと、壁防水紙６ａを張り付けし、
イ．柱７ｂ又は間柱７ｃの仮止紙６ｅの仮止を外して、前記の建築用パネル１の内側に取り付けた、幅の狭い胴縁７ｄに、張り付けし、
ロ．次に、柱７ｂ又は間柱７ｃの側面に、壁防水紙６ａを側端を合わせて、張り始めて、
ハ．張り始めから縦方向に、柱７ｂや間柱７ｃに沿って、張り付けて、柱防水紙６ｂと壁防水紙６ａとの間に、雨水の浸入を防止する防水継６ｃを形成し、
ニ．その防水継６ｃの上に幅の狭い胴縁７ｄを釘打ち固定し、
ホ．上記を繰り返して、外壁７の内側を、複数の壁防水紙６ａにより覆い、
ヘ．その壁防水紙６ａと施工された建築用パネル１との間に、胴縁７ｄの厚さにより形成される、空気が流れる通気層７ｅを形成し、
ｇ．前記の、出隅部材２の出隅受２ｅの連結溝２ｈに、出隅被覆２ａの連結片２ｃを差し込み固定する。
【実施例４】
【００３３】  図５，図７，図１２，図１８，図１９，図２０，図２１，及び図２２は、この発明の実施例４を示すものである。【００３４】Ａ．図５に示す、実施例４においての建築用パネル１は、実施例１と同じものである。【００３５】Ｂ．図１２に示す、実施例４の出隅部材２は、実施例２と同じものである。【００３６】Ｃ．図７に示す、実施例４の目地部材３は、実施例１と同じものである。【００３７】Ｄ．図２２に示す、実施例４の取付具４と継縁５は、
ａ．取付具４は金属板８を成形して、
イ．ほぼ平坦な取付片４ａの両側端をＬ字形に表面側に折り曲げて、固定片４ｅを形成し、
ロ．その固定片４ｅの先端をＬ字形に表面側に折り曲げて、固定爪４ｇを形成し、
ハ．前記の取付片４ａの１端をＵ字形に裏面に折り曲げて、引掛片４ｄを形成し、
ｂ．継縁５は、合成樹脂９による合成樹脂板９ｂを成形して、
イ．次のような外縁５ａと、重ね合わした防水紙６を挟み込んで、その外縁５ａの内側に嵌合される、中縁５ｄとからなり、
ロ．その外縁５ａは、
○円筒の一部を欠いた円弧状の、外溝５ｂを形成し、
○その外溝５ｂの両側を、小円弧状に裏面側に折り曲げて、さらに延長した、外溝口５ｃを形成し、
ハ．その中縁５ｄは、
○円筒の一部を欠いた円弧状の、中棒５ｅを形成し、
○その中棒５ｅの両側を、円弧状に裏面側に折り曲げて、さらに延長した、中溝口５ｆを形成し、
ニ．外溝５ｂの外溝口５ｃの両側の括れから、外溝５ｂの底までの高さを、前記の取付具４の取付片４ａからその固定爪４ｇの高さと、ほぼ同一に形成している。【００３８】Ｅ．図１８，図１９，図２０，及び図２１に示す、実施例４の外壁７の施工は、
ａ．柱７ｂと間柱７ｃとから構成される、壁下地７ａの、
イ．その柱７ｂの出隅部７ｇを構成する２面と、柱７ｂの残りの両側面の大半程度とを覆う、防水紙６の柱防水紙６ｂを巻き付けて仮止して、仮止紙６ｅを形成し、
ロ．その間柱７ｃの外側を構成する面と、両側面のを全体程度、とを覆う防水紙６の柱防水紙６ｂを巻き付けて仮止して、仮止紙６ｅを形成し、
ｂ．建築用パネル１と他の建築用パネル１との、外壁７の外側の角においての接続部７ｆである、出隅部７ｇを構成する、柱７ｂの角の２面の、柱防水紙６ｂの上に、
イ．幅の狭い胴縁７ｄを柱７ｂに２枚釘打ち固定し、
ロ．前記の柱７ｂに取り付けた幅の狭い胴縁７ｄに、出隅部材２の釘打板２ｊを合わせて、その釘打板２ｊを釘打ち固定し、
ｃ．建築用パネル１と他の建築用パネル１との、外壁７の壁面においての接続部７ｆである、目地部７ｈを構成する、間柱７ｃの外側の面の、柱防水紙６ｂの上に、
イ．幅の広い胴縁７ｄを、その間柱７ｃに釘打ち固定し、
ロ．その幅の広い胴縁７ｄの上に、目地部材３の固定板３ｄを釘打ち固定し、
ｄ．そのようにして、施工された壁下地７ａの上に、次のように複数の建築用パネル１を施工し、
イ．前記の施工された、接続部７ｆと他の接続部７ｆとの間に、例えば、目地部材３と出隅部材２との間に、次のように建築用パネル１を施工し、
ロ．建築用パネル１の長さを、
○施工されたそれぞれ相対する、出隅部材２の出隅面２ｂの側端部と、目地部材３の目地面３ａの側端部との距離より長く、
○相対する目地部材３の目地面３ａの側端部と出隅部材２の出隅溝板２ｇとの距離と、相対する出隅部材２の出隅面２ｂの側端部と目地部材３の目地溝板３ｃとの距離との、長い方の距離よりも短い長さとし、
ハ．目地部材３の目地溝３ｂか、出隅部材２の出隅溝２ｆに、建築用パネル１の一方の切断端１ｎを差し込み、
○次に、建築用パネル１を、差し込んだ接続部７ｆと、他方の接続部７ｆとの、中間の位置にずらして、
○その切断端１ｎの近傍の釘打片１ｊを胴縁７ｄに釘打ち固定し、
ニ．その固定された建築用パネル１の上方において、
○目地部材３の目地溝３ｂか、出隅部材２の出隅溝２ｆに、他の建築用パネル１の一方の切断端１ｎを差し込み、
○次に、建築用パネル１を、差し込んだ接続部７ｆと、他方の接続部７ｆとの、中間の位置にずらして、
ホ．固定された建築用パネル１の嵌合溝１ｉに、後者の建築用パネル１の差込片１ｆを差し込み、その切断端１ｎの近傍の釘打片１ｊを胴縁７ｄに釘打ち固定し、
ヘ．上記を繰り返し、複数の建築用パネル１により外壁７を覆い、
ｅ．それらの建築用パネル１を施工した外壁７の内側に、次のように、取付具４により継縁５の外縁５ａを取り付け、
イ．柱７ｂや間柱７ｃの近傍の位置の、建築用パネル１の釘打片１ｊと、その上段の建築用パネル１の切続段１ｍとの隙間に、取付具４の引掛片４ｄを差し込む事を繰り返し、複数の取付具４を装着し、
ロ．その装着した取付具４の２枚の固定片４ｅの間に、外縁５ａの外溝５ｂを差し込み、その固定爪４ｇを、外縁５ａの外溝口５ｃの外側の括れに嵌入し、
○固定爪４ｇと外縁５ａとの間の摩擦や、
○外溝口５ｃの外側の括れから、固定爪４ｇが外れる抵抗力により、固定し、
ハ．柱７ｂと間柱７ｃとの間、又は柱７ｂと他の柱７ｂとの間の両側部に、建築用パネル１の釘打片１ｊに引っ掛けた、取付具４により固定した、外縁５ａを取り付けて、
ｆ．その建築用パネル１の内側に取り付けた、外縁５ａに、次のように、柱防水紙６ｂを巻き付けて仮止した仮止紙６ｅと、壁防水紙６ａを張り付けし、
イ．柱７ｂ又は間柱７ｃの仮止紙６ｅの仮止を外して、前記の建築用パネル１の内側に取り付けた、外縁５ａの上に被せて、
ロ．次に、柱７ｂ又は間柱７ｃの側面に側端を合わせて、柱７ｂや間柱７ｃに沿って、壁防水紙６ａを縦方向に外縁５ａの上に被せて、
ハ．その張り始めから縦方向に、柱７ｂや間柱７ｃに沿って、外縁５ａの外溝口５ｃの上に中縁５ｄの中棒５ｅを押し込んで、
ニ．柱防水紙６ｂと壁防水紙６ａとを、中縁５ｄの中棒５ｅに巻き付けて、外縁５ａの外溝５ｂにより、包み込み固定し、
ホ．柱防水紙６ｂと壁防水紙６ａとの間に、雨水の浸入を防止する防水継６ｃを形成し、その防水継６ｃの上に幅の狭い胴縁７ｄを釘打ち固定し、
ヘ．上記を繰り返して、外壁７の内側を、複数の壁防水紙６ａにより覆い、
ト．その壁防水紙６ａと施工された建築用パネル１との間に、胴縁７ｄの厚さにより形成される、空気が流れる通気層７ｅを形成する。
【実施例５】
【００３９】  図５，図６，図７，図２３，図２４，図２５，図２６，及び図２７は、この発明の実施例５を示すものである。【００４０】Ａ．図５に示す、実施例５においての建築用パネル１は、実施例１と同じものである。【００４１】Ｂ．図６に示す、実施例５の出隅部材２は、実施例１と同じものである。【００４２】Ｃ．図７に示す、実施例３の目地部材３は、実施例１と同じものである。【００４３】Ｄ．図２７に示す、実施例５の取付具４と継縁５は、
ａ．取付具４は金属板８を成形して、
イ．ほぼ平坦な取付片４ａの両側端をＬ字形に表面側に折り曲げて、固定片４ｅを形成し、
ロ．その固定片４ｅの先端をＬ字形に表面側に折り曲げて、固定爪４ｇを形成し、
ハ．前記の取付片４ａの１端を延長してＬ字形に裏面に折り曲げて、取付爪４ｂを形成し、
ニ．その取付片４ａの延長部に小孔をあけて、取付孔４ｃを形成し、
ｂ．継縁５は、合成樹脂９による合成樹脂板９ｂを成形して、
イ．次のような外縁５ａと、重ね合わした防水紙６を挟み込んで、その外縁５ａの内側に嵌合される、中縁５ｄとからなり、
ロ．その外縁５ａは、
○円筒の一部を欠いた円弧状の、外溝５ｂを形成し、
○その外溝５ｂの両側を、小円弧状に裏面側に折り曲げて、さらに延長した、外溝口５ｃを形成し、
ハ．その中縁５ｄは、
○円筒の一部を欠いた円弧状の、中棒５ｅを形成し、
○その中棒５ｅの両側を、円弧状に裏面側に折り曲げて、さらに延長した、中溝口５ｆを形成し、
ニ．外溝５ｂの外溝口５ｃの両側の括れから、外溝５ｂの底までの高さを、前記の取付具４の取付片４ａからその固定爪４ｇの高さより、少し低くしている。【００４４】Ｅ．図２３，図２４，図２５，及び図２６に示す、実施例４の外壁７の施工は、
ａ．柱７ｂと間柱７ｃとから構成される、壁下地７ａの、
イ．その柱７ｂの出隅部７ｇを構成する２面と、柱７ｂと間柱７ｃと間の過半とを覆う、防水紙６の柱防水紙６ｂを巻き付けて、柱７ｂ脇に折り畳み仮止して、折畳紙６ｆを形成し、
ロ．その間柱７ｃの外側を構成する面と、柱７ｂと間柱７ｃと間の過半とを覆う、防水紙６の柱防水紙６ｂを巻き付けて、間柱７ｃ脇に折り畳み仮止して、折畳紙６ｆを形成し、
ｂ．建築用パネル１と他の建築用パネル１との、外壁７の外側の角においての接続部７ｆである、出隅部７ｇを構成する、柱７ｂの角の２面の、柱防水紙６ｂの上に、
イ．幅の狭い胴縁７ｄを柱７ｂに２枚釘打ち固定し、
ロ．前記の柱７ｂに取り付けた幅の狭い胴縁７ｄに、出隅部材２の釘打板２ｊを合わせて、その釘打板２ｊを釘打ち固定し、
ｃ．建築用パネル１と他の建築用パネル１との、外壁７の壁面においての接続部７ｆである、目地部７ｈを構成する、間社７ｃの外側の面の、柱防水紙６ｂの上に、
イ．幅の広い胴縁７ｄを、その間柱７ｃに釘打ち固定し、
ロ．その幅の広い胴縁７ｄの上に、目地部材３の固定板３ｄを釘打ち固定し、
ｄ．そのようにして、施工された壁下地７ａの上に、次のように複数の建築用パネル１を施工しながら、取付具４を取り付けて、
イ．前記の施工された、接続部７ｆと他の接続部７ｆとの間に、例えば、目地部材３と出隅部材２との間に、次のように建築用パネル１を施工し、
ロ．目地部材３の目地溝３ｂに、建築用パネル１の一方の切断端１ｎを差し込み、その近傍の釘打片１ｊを胴縁７ｄに釘打ち固定し、その建築用パネル１の他方の切断端１ｎを、出隅受２ｅの釘打板２ｊに乗せて、その近傍の釘打片１ｊを胴縁７ｄに釘打ち固定し、
ハ．その固定された建築用パネル１の上方において、他の建築用パネル１を、目地部材３の目地溝３ｂに、一方の切断端１ｎを差し込み、他方の切断端１ｎを、出隅受２ｅの釘打板２ｊに乗せて、
ニ．固定された建築用パネル１の嵌合溝１ｉに、後者の建築用パネル１の差込片１ｆを差し込み、その切断端１ｎの近傍の釘打片１ｊを胴縁７ｄに釘打ち固定し、
ホ．上記を繰り返し、複数の建築用パネル１により外壁７を覆い、
ヘ．上記の建築用パネル１を施工途中の、
○最上部の釘打片１ｊが適宜な高さある時に、柱７ｂと間柱７ｃとの、又は柱７ｂと他の柱７ｂとの、中間の位置に、
○その最上部の釘打片１ｊの裏面に、取付具４の取付片４ａを当てて、
○その最上部の釘打片１ｊの先端に、取付具４の取付爪４ｂを乗せて、
○取付具４の取付孔４ｃの位置に合わせて、釘打片１ｊに孔加工を行い、
○取付具４の取付孔４ｃと、釘打片１ｊにあけた孔とをブラインドリベットにて締結し、
ト．上記を適宜繰り返し、建築用パネル１の内側に取付具４を、複数締結し、
ｅ．それらの建築用パネル１を施工した外壁７の内側に、締結した取付具４により継縁５の外縁５ａを取り付け、
イ．その締結した取付具４の２枚の固定片４ｅの間に、外縁５ａの外溝５ｂを差し込み、その固定爪４ｇを、外縁５ａの外溝口５ｃの外側の括れに嵌入し、
○固定爪４ｇと外縁５ａとの間の摩擦や、
○外溝口５ｃの外側の括れから、固定爪４ｇが外れる抵抗力により、固定し、
ロ．柱７ｂと間柱７ｃとの間、又は柱７ｂと他の柱７ｂとの間の中間の位置に、建築用パネル１の釘打片１ｊに締結した、取付具４により固定した、外縁５ａを取り付けて、
ｆ．その建築用パネル１の内側に取り付けた、外縁５ａに、次のように、両側の柱７ｂや間柱７ｃの、柱防水紙６ｂを折り畳み仮止した、折畳紙６ｆを、その両側から張り付けし、
イ．両側の柱７ｂ又は間柱７ｃの折畳紙６ｆの仮止を外して、前記の建築用パネル１の内側に取り付けた、外縁５ａの上に被せて、
ロ．その張り始めから縦方向に、柱７ｂや間柱７ｃに沿って、外縁５ａの外溝口５ｃの上に中縁５ｄの中棒５ｅを押し込んで、
ハ．柱防水紙６ｂと、他側からの柱防水紙６ｂとを、中縁５ｄの中棒５ｅに巻き付けて、外縁５ａの外溝５ｂにより、包み込み固定し、
ニ．柱防水紙６ｂと、他側からの他側からの柱防水紙６ｂとの間に、雨水の浸入を防止する防水継６ｃを形成し、
その防水継６ｃの上に幅の狭い胴縁７ｄを釘打ち固定し、
ホ．上記を繰り返して、外壁７の内側を、複数の柱防水紙６ｂにより覆い、
ヘ．その柱防水紙６ｂと施工された建築用パネル１との間に、胴縁７ｄの厚さにより形成される、空気が流れる通気層７ｅを形成し、
ｇ．前記の、出隅部材２の出隅受２ｅの連結溝２ｈに、出隅被覆２ａの連結片２ｃを差し込み固定する。
【図面の簡単な説明】
【００４５】
【図１】  外壁の施工状態を示す一部省略水平断面図（実施例１）
【図２】  外壁の施工状態を示す一部省略斜視図（実施例１）
【図３】  外壁の施工状態を示す一部省略斜視図（実施例１）
【図４】  外壁の施工状態を示す一部省略斜視図（実施例１）
【図５】  建築用パネルを示す一部省略斜視図（実施例１〜５）
【図６】  出隅部材を示す一部省略斜視図（実施例１、３、５）
【図７】  目地部材を示す一部省略斜視図（実施例１〜５）
【図８】  外壁の施工状態を示す一部省略水平断面図（実施例２）
【図９】  外壁の施工状態を示す一部省略斜視図（実施例２）
【図１０】  外壁の施工状態を示す一部省略斜視図（実施例２）
【図１１】  外壁の施工状態を示す一部省略斜視図（実施例２）
【図１２】  出隅部材を示す一部省略斜視図（実施例２、４）
【図１３】  外壁の施工状態を示す一部省略水平断面図（実施例３）
【図１４】  外壁の施工状態を示す一部省略斜視図（実施例３）
【図１５】  外壁の施工状態を示す一部省略斜視図（実施例３）
【図１６】  外壁の施工状態を示す一部省略斜視図（実施例３）
【図１７】  取付具を示す斜視図（実施例３）
【図１８】  外壁の施工状態を示す一部省略水平断面図（実施例４）
【図１９】  外壁の施工状態を示す一部省略斜視図（実施例４）
【図２０】  外壁の施工状態を示す一部省略斜視図（実施例４）
【図２１】  外壁の施工状態を示す一部省略斜視図（実施例４）
【図２２】  取付具を示す斜視図と継縁を示す一部省略斜視図（実施例４）
【図２３】  外壁の施工状態を示す一部省略水平断面図（実施例５）
【図２４】  外壁の施工状態を示す一部省略斜視図（実施例５）
【図２５】  外壁の施工状態を示す一部省略斜視図（実施例５）
【図２６】  外壁の施工状態を示す一部省略斜視図（実施例５）
【図２７】  取付具を示す斜視図と継縁を示す一部省略斜視図（実施例５）
【符号の説明】
【００４６】  １  建築用パネル
２  出隅部材
３  目地部材
４  取付具
５  継縁
６  防水紙
７  外壁
８  金属板
９  合成樹脂
【図１】
2008019698.tif 000003
【図２】
2008019698.tif 000004
【図３】
2008019698.tif 000005
【図４】
2008019698.tif 000006
【図５】
2008019698.tif 000007
【図６】
2008019698.tif 000008
【図７】
2008019698.tif 000009
【図８】
2008019698.tif 000010
【図９】
2008019698.tif 000011
【図１０】
2008019698.tif 000012
【図１１】
2008019698.tif 000013
【図１２】
2008019698.tif 000014
【図１３】
2008019698.tif 000015
【図１４】
2008019698.tif 000016
【図１５】
2008019698.tif 000017
【図１６】
2008019698.tif 000018
【図１７】
2008019698.tif 000019
【図１８】
2008019698.tif 000020
【図１９】
2008019698.tif 000021
【図２０】
2008019698.tif 000022
【図２１】
2008019698.tif 000023
【図２２】
2008019698.tif 000024
【図２３】
2008019698.tif 000025
【図２４】
2008019698.tif 000026
【図２５】
2008019698.tif 000027
【図２６】
2008019698.tif 000028
【図２７】
2008019698.tif 000029